(57)【特許請求の範囲】
【請求項１】
上下に交差状に配置された上横桟(7)(8)と下横桟(9)(10) とを有する上下一対のパンタグラフ機構(11)(12)を備え、この各パンタグラフ機構(11)(12)の門扉長手方向に隣り合う上横桟(7)(8)と下横桟(9)(10) との端部同士を、上下の両パンタグラフ機構(11)(12)に跨がる縦桟(13)により順次連結して水平面内で伸縮可能に構成した伸縮門扉において、上側のパンタグラフ機構(11)の上横桟(7) と下側のパンタグラフ機構(12)の下横桟(10)との一端部に固定された縦桟(13)を、上側のパンタグラフ機構(11)の下横桟(9) と下側のパンタグラフ機構(12)の上横桟(8) との他端部に形成された縦桟挿通用の通孔(28)(30)に回動自在に挿通して規制部材(31)により上下方向に移動不能に定着し、上側のパンタグラフ機構(11)の下横桟(9) と下側のパンタグラフ機構(12)の上横桟(8) との一端部に固定された縦桟(13)を、上側のパンタグラフ機構(11)の上横桟(7) と下側のパンタグラフ機構(12)の下横桟(10)との他端部に形成された縦桟挿通用の通孔(27)(29)に回動自在に挿通して規制部材(31)により上下方向に移動不能に定着し、前記各規制部材(31)は各横桟(7) 〜(10)内で各縦桟(13)に定着手段(33)により固定し、その上下の端面を各横桟(7) 〜(10)の内面に当接したことを特徴とする伸縮門扉。
【発明の詳細な説明】
【０００１】
【発明の属する技術分野】
本発明は、水平面内で伸縮する上下一対のパンタグラフ機構を備えた伸縮門扉に関するものである。
【０００２】
【従来の技術】
従来、伸縮門扉において、実公昭６０−３０４００号公報に記載のように、上下に交差状に配置された上横桟と下横桟とを有する上下一対のパンタグラフ機構を備え、この各パンタグラフ機構の門扉長手方向に隣り合う上横桟と下横桟とを、上下の両パンタグラフ機構に跨がる縦桟により順次連結して水平面内で伸縮可能に構成したものがある。
【０００３】
この伸縮門扉は、上下一対の上横桟と下横桟とを門扉長手方向にパンタグラフ状に配設し、この各横桟の中央部及び両端部に夫々通孔を穿設し、各横桟の通孔に上下の両パンタグラフ機構に跨がる縦桟を挿通すると共に、上下に対をなす上横桟と下横桟との内、下横桟を縦桟に対してリベットで回動不能に固定し、上横桟を縦桟に対して回動自在に遊嵌している。そして、下横桟と上横桟との間で縦桟に筒状のスペーサーを套嵌して、このスペーサーによって上下の横桟間の間隔を確保する一方、縦桟の上端に、上横桟の抜け止めを兼用するキャップを装着している。
【０００４】
【発明が解決しようとする課題】
この従来の伸縮門扉では、上下に対をなす上横桟と下横桟との内、その上横桟は縦桟に回動自在に遊嵌して、下横桟上のスペーサーにより下横桟と上横桟との間隔を確保する構造であり、上横桟と縦桟との結合が不十分であるため、伸縮門扉の開閉動作を繰り返すと、上横桟と縦桟との間にガタツキが発生し易くなるという欠点がある。
【０００５】
また上横桟と縦桟との間のガタツキが発生するようになれば、縦桟の上端に装着したキャップが緩んで上横桟が縦桟から抜け易くなる欠点がある。
更に、下横桟と上横桟との間隔を確保するスペーサーを縦桟に套嵌しており、このスペーサーが外部に露出しているため、スペーサーによって門扉全体の見栄えが悪くなるという問題もある。
本発明は、かかる従来の課題に鑑み、外観上の見栄えを良好にでき、しかも長期間に亘って縦桟と横桟との結合状態を確実に保持することができる伸縮門扉を提供することを目的とする。
【０００６】
【課題を解決するための手段】
本発明は、上下に交差状に配置された上横桟7,8 と下横桟9,10とを有する上下一対のパンタグラフ機構11,12 を備え、この各パンタグラフ機構11,12 の門扉長手方向に隣り合う上横桟7,8 と下横桟9,10との端部同士を、上下の両パンタグラフ機構11,12 に跨がる縦桟13により順次連結して水平面内で伸縮可能に構成した伸縮門扉において、上側のパンタグラフ機構11の上横桟7 と下側のパンタグラフ機構12の下横桟10との一端部に固定された縦桟13を、上側のパンタグラフ機構11の下横桟9 と下側のパンタグラフ機構12の上横桟8 との他端部に形成された縦桟挿通用の通孔28,30 に回動自在に挿通して規制部材31により上下方向に移動不能に定着し、上側のパンタグラフ機構11の下横桟9 と下側のパンタグラフ機構12の上横桟8 との一端部に固定された縦桟13を、上側のパンタグラフ機構11の上横桟7 と下側のパンタグラフ機構12の下横桟10との他端部に形成された縦桟挿通用の通孔27,29 に回動自在に挿通して規制部材31により上下方向に移動不能に定着し、前記各規制部材31は各横桟7 〜10内で各縦桟13に定着手段33により固定し、その上下の端面を各横桟7 〜10の内面に当接したものである。
【０００７】
【発明の実施の形態】
以下、本発明の実施形態を図面に基づいて詳述する。
図１の（Ａ）及び（Ｂ）において、１  は塀、２  は出入口である。３  は吊り元支柱、４  は戸当たり支柱で、これらの支柱３，４  は塀１  の内側で出入口２  の左右両側の地面５  に立設されている。
６  は伸縮自在に構成された水平リンク式の伸縮門扉本体で、吊り元支柱３  と戸当たり支柱４  との間に出入口２  を開閉するように伸縮自在に設けられている。
【０００８】
伸縮門扉本体６  は、上下に交差状に配置された上横桟７，８  と下横桟９，１０とを有する上下一対のパンタグラフ機構１１，１２  を備え、この各パンタグラフ機構１１，１２  の門扉長手方向に隣り合う上横桟７，８  と下横桟９，１０との端部同士を、上下の両パンタグラフ機構１１，１２  に跨がる縦桟１３により順次連結して水平面内で伸縮可能に構成されている。伸縮門扉本体６  の吊り元側端は、ヒンジ１４を介して吊り元支柱３  に連結されている。
【０００９】
１５は施錠受け枠で、戸当たり支柱４  にヒンジ１６を介して連結されている。１７は施錠枠で、伸縮門扉本体６  の戸当たり側端に設けられ、姿勢保持板１８により伸縮門扉本体６  に対して真っ直ぐに保持されている。施錠枠１７には施錠手段１９、把手２０等が設けられている。２１ａ  はキャスター車輪である。
【００１０】
パンタグラフ機構１１，１２  は、門扉長手方向に隣り合う上横桟７，８  と下横桟９，１０との端部同士を各縦桟１３によってジグザグ状に連結した４組の連結体２１〜２４を備え、この各連結体２１〜２４の中間部分の各横桟７  〜１０が他の３組の連結体２１〜２４の横桟７  〜１０に対して夫々交差して平行リンクを構成するように組み合わされている。
【００１１】
４組の連結体２１〜２４とも、中間部分の各横桟７  〜１０は全て同一長さであるが、両端の横桟７  〜１０の長さは、中間部分の横桟７  〜１０の長さを比率的に４とした場合、これに対して略１対２対３対５の比率の長さになっている。即ち、連結体２１の両端の横桟７  〜１０は、吊り元端側が比率１の長さとなり、戸当たり端側が比率３の長さとなっている。連結体２２の両端の横桟７  〜１０は、吊り元端側が比率２の長さとなり、戸当たり端側が比率３の長さとなっている。各連結体２３の両端の横桟７  〜１０は、反対に吊り元端側が比率３の長さとなり、戸当たり端側が比率２の長さとなっている。連結体２４の両端の横桟７  〜１０は、吊り元端側が吊り元支柱３  に対する取り付け部７ａ，１０ａを含めて比率５の長さとなり、戸当たり端側が比率３の長さとなっている。
【００１２】
伸縮門扉本体６  は、例えば図１（Ａ）のＸ−Ｘ矢視位置では、図３に示すような構造になっている。即ち、上側のパンタグラフ機構１１では、連結体２１の上横桟７  の両端部に、この上横桟７  に対して門扉長手方向に隣接する両側の下横桟９  の各端部が反対方向から交差状に配置されて、この上横桟７  と下横桟９  が上下に間隔をおいた状態で縦桟１３により夫々回動自在に連結されている。そして、この上横桟７  の下側に他の３組の連結体２２〜２４の下横桟９  が交差状に配置されており、これら上横桟７  と下横桟９  は短い連結軸２５を介して回動自在に枢支連結されている。
【００１３】
一方、下側のパンタグラフ機構１２では、連結体２１の下横桟１０の両端部に、この下横桟１０に対して門扉長手方向に隣接する両側の上横桟８  の各端部が反対方向から交差状に配置されて、この下横桟１０と上横桟８  が上下に間隔をおいた状態で縦桟１３によって回動自在に連結されている。そして、この下横桟１０の上側に他の３組の連結体２２〜２４の上横桟８  が交差状に配置されており、これら下横桟１０と上横桟８  も短い連結軸２６を介して回動自在に枢支連結されている。
【００１４】
なお、各連結体２１〜２４の上側のパンタグラフ機構１１の上横桟７  と下側のパンタグラフ機構１２の下横桟１０は互いに平行であり、また連結体２１〜２４の上側のパンタグラフ機構１１の下横桟９  と下側のパンタグラフ機構１２の上横桟８  も互いに平行である。
【００１５】
上側のパンタグラフ機構１１の上横桟７  は、図４にも示すように中間壁７ｂを有する押し出し筒体により構成されており、この上横桟７  にはその中間壁７ｂ及び下壁７ｄに、その長手方向の両端部に２個の通孔２７が、中間に等間隔をおいて３個の通孔２７ａ  が夫々形成されている。
【００１６】
各パンタグラフ機構１１の下横桟９，１０は、図４に示すように押し出し筒体により構成されており、この各横桟９，１０には、その長手方向の両端部に上壁及び下壁を上下に貫通する通孔２８，２９  が形成されると共に、その中間の上壁に３個の通孔２８ａ，２９ａ  が等間隔をおいて形成されている。
【００１７】
下側のパンタグラフ機構１２の上横桟８  も、図４に示すように押し出し筒体により構成されており、この横桟８  にはその長手方向の両端部に上壁及び下壁を上下に貫通する通孔３０が形成されると共に、その中間の下壁に３個の通孔３０ａ  が等間隔をおいて形成されている。
【００１８】
各縦桟１３は丸パイプ材からなり、上側のパンタグラフ機構１１の上横桟７  から下側のパンタグラフ機構１２の下横桟１０の下側に達する長さを有し、各連結体２１〜２４において、その上下の両パンタグラフ機構１１，１２  に跨がって上横桟７，８  及び下横桟９，１０の各通孔２７〜３０に挿通されている。
【００１９】
そして、各連結体２１では、例えば図３及び図４に示すように、上側のパンタグラフ機構１１の上横桟７  と下側のパンタグラフ機構１２の下横桟１０との両端部にある一対の縦桟１３の内、右側の縦桟１３は、上側のパンタグラフ機構１１の下横桟９  と下側のパンタグラフ機構１２の上横桟８  とに規制部材３１によって回動のみ自在に定着され、上側のパンタグラフ機構１１の上横桟７  と下側のパンタグラフ機構１２の下横桟１０とにリベット３２で固定されている。
【００２０】
また左側の縦桟１３は、上側のパンタグラフ機構１１の上横桟７  と下側のパンタグラフ機構１２の下横桟１０とに規制部材３１によって回動のみ自在に定着され、上側のパンタグラフ機構１１の下横桟９  と下側のパンタグラフ機構１２の上横桟８  とにリベット３２で固定されている。
他の連結体２２〜２４についても連結体２１と同様になっている。
【００２１】
縦桟１３と横桟７  〜１０との各固定手段は、図５及び図６に下側のパンタグラフ機構１２の上横桟８  側を例示するように、各横桟７  〜１０の通孔２７〜３０に縦桟１３が挿通され、横桟７  〜１０と縦桟１３とが横桟７  〜１０の両側から夫々上下２個のリベット３２により結合されている。即ち、上横桟８  側では、縦桟１３に対応する位置に上横桟８  の各側壁８ａ側からリベット３２を打ち込んで、上横桟８  と縦桟１３とを固定している。
【００２２】
縦桟１３と横桟７  〜１０とを回動自在に定着する各定着手段は、図５、図７及び図８に下横桟１０側を例示するように、各横桟７  〜１０の通孔２７〜３０に縦桟１３が挿通され、この縦桟１３に各横桟７  〜１０内で規制部材３１がリベット３３により固定されている。規制部材３１は、縦桟１３に対して横桟７  〜１０を上下方向に移動不能に規制するためのもので、縦桟１３の外周に沿って円弧状に湾曲した半円状に形成されると共に、例えば下横桟１０側では、上下の端面側が下横桟１０の上壁１０ｂ  と下壁１０ｃ  との内面に当接するように、上壁１０ｂ  と下壁１０ｃ  との内面間の間隔と略同じ程度の長さを有する。
【００２３】
そして、規制部材31は、その内面側で縦桟13の外周面を抱くように縦桟13に抱着され、且つ略中央部のリベット32によって縦桟13に固定されている。
従って、４組の各連結体21〜24は、図２、図３及び図４に示すように、上側のパンタグラフ機構11の下横桟9 と下側のパンタグラフ機構12の上横桟8 との一端部が縦桟13に固定された第１枠体35と、上側のパンタグラフ機構11の上横桟7 と下側のパンタグラフ機構12の下横桟10との一端部が別の縦桟13に固定された第２枠体36とを門扉長手方向に交互に複数個備えて構成されている。
【００２４】
つまり、第１枠体３５は、上下の両パンタグラフ機構１１，１２  に跨がる長さの縦桟１３と、一端側がリベット３２を介して縦桟１３に固定された両パンタグラフ機構１１，１２  の下横桟９  及び上横桟８  により構成されており、第２枠体３６は、上下の両パンタグラフ機構１１，１２  に跨がる長さの縦桟１３と、一端側がリベット３２を介して縦桟１３に固定された両パンタグラフ機構１１，１２  の上横桟７  及び下横桟１０により構成されている。
【００２５】
第１枠体35と第２枠体36は、その各縦桟13が各枠体35,36 に対して同一側となるように門扉長手方向に交互に複数組配置され、第１枠体35の縦桟13が、この縦桟13に隣接する第２枠体36の上側のパンタグラフ機構11の上横桟7 及び下側のパンタグラフ機構12の下横桟10の他端部に、また第２枠体36の縦桟13が、この縦桟13に隣接する第１枠体35の上側のパンタグラフ機構11の下横桟9 及び下側のパンタグラフ機構12の上横桟8 の他端部に夫々回動自在に挿入されている。
【００２６】
各連結軸２５，２６  は中空円筒状であって、中央に断面Ｃ字状のネジ保持部３７を一体に備え、上下両側が上横桟７，８  及び下横桟９，１０の通孔２７ａ  〜３０ａ  に挿入されている。そして、連結軸２５，２６  は、各横桟７  〜１０側からネジ保持部３７に螺合するネジ３８により各横桟７  〜１０に止められている。なお、上横桟７，８  と下横桟９，１０との間には、連結軸２５，２６  に外嵌する幅決め筒体３９が介在されている。
【００２７】
この伸縮門扉は、縦桟１３に各横桟８，９  を固定してなる第１枠体３５と、縦桟１３に各横桟７，１０を固定してなる第２枠体３６とを複数組備え、その各縦桟１３が枠体３５，３６  に対して同一側となるように第１枠体３５と第２枠体３６とを門扉長手方向に交互に配置し、各枠体３５，３６  の縦桟１３を該縦桟１３に隣接する他の枠体３５，３６  の横桟７  〜１０の他端部に回動自在に挿入している。このため、伸縮門扉本体６  を組み立てる際には、図９に示すような作業順序で組み立てて行く。
【００２８】
先ず、図９に示すように、上側のパンタグラフ機構１１の下横桟９  と下側のパンタグラフ機構１２の上横桟８  とを縦桟１３に固定した第１枠体３５と、下側のパンタグラフ機構１２の下横桟１０を縦桟１３の下部側に固定し、上側のパンタグラフ機構１１の上横桟７  を取り外した状態の第２枠体３６とを所定数づつ準備する。そして第１枠体３５の縦桟１３の下端部を、第２枠体３６の下側のパンタグラフ機構１２の下横桟１０の他端部側の通孔２９に挿入する。一方、第２枠体３６の縦桟１３を別の第１枠体３５側の上側のパンタグラフ機構１１の下横桟９  と下側のパンタグラフ機構１２の上横桟８  の通孔２８，３０  に挿入する。
【００２９】
これによって、第２枠体36の左側に一方の第１枠体35の縦桟13が挿通し、右側の縦桟13に他方側の第１枠体35の下側のパンタグラフ機構12の上横桟8 と上側のパンタグラフ機構11の下横桟9 とが挿通した状態となるので、次に図１０に示すように、隣り合う２本の縦桟13の上端部を上側のパンタグラフ機構11の上横桟7 の両端部の通孔27に挿通する。
そして、上側のパンタグラフ機構11の上横桟7 と、下側のパンタグラフ機構12の下横桟10とに、その左側の開口端側から規制部材31を挿入して、この規制部材31を各横桟7,10内で縦桟13の所定位置に当てた後、リベット33により規制部材31を縦桟13に抱着状態で固定する。
【００３０】
すると規制部材３１の上下両端が各横桟７，１０の上壁１０ｂ  及び下壁１０ｃ  の内面に当接するので、各横桟７，１０は縦桟１３に対して上下方向に移動しなくなり、上下の各パンタグラフ機構１１，１２  の上横桟７，８  と下横桟９，１０との間隔を一定に保持できると共に、その横桟７，１０を縦桟１３の軸心廻りにのみ回動自在に枢着できる。従って、伸縮門扉本体６  の伸縮時に、縦桟１３と各横桟７，１０との結合状態を確実に保持でき、伸縮門扉本体６  を繰り返して伸縮した時にも、回動部分でのガタツキを極力防止でき、特に上横桟７  の縦桟１３からの離脱を防止できる。しかも、規制部材３１が横桟７，１０内にあるので、従来に比較して伸縮門扉全体の見栄えを良好にできる。
なお、上側のパンタグラフ機構１１の上横桟７  を組み付ける場合には、その前に他の３組の連結体２２〜２４の上横桟８  及び下横桟９  を下側のパンタグラフ機構１２の下横桟１０上に連結軸２５，２６  等を介して組み立てておくことはいうまでもない。
【００３１】
伸縮門扉により出入口２  を開閉する場合には、施錠枠１７の把手２０を把持して伸縮門扉本体６  を門扉長手方向に伸縮させる。この時、第１枠体３５の縦桟１３と上下の横桟８，９  、及び第２枠体３６の縦桟１３と上下の横桟７，１０は、リベット３２によって完全に固定状態になっているが、その第１枠体３５の縦桟１３と第２枠体３６の各横桟７，１０が回動自在であるため、この部分の相対回動によって４組の各連結体２１〜２４が夫々水平面内でジグザグ状に屈伸して、伸縮門扉本体６  が伸縮することができる。
【００３２】
使用中に何れか横桟７  〜１０又は縦桟１３が破損した場合、次のようにすれば容易に横桟７  〜１０又は縦桟１３を交換して補修することができる。即ち、例えば図９の第２枠体３６の上側のパンタグラフ機構１１の上横桟７  が損傷した場合には、この上横桟７  は右端側がリベット３２により縦桟１３に固定され、左端側が規制部材３１により縦桟１３に係着されているので、ドリルで各リベット３２，３３  上に孔を穿孔する等の方法によって各リベット３２，３３  を取り外す。
【００３３】
すると縦桟１３に対する固定を解除できると共に、規制部材３１による定着を解除でき、その上横桟７  には各縦桟１３が通孔２７に挿通するだけの状態になるため、上横桟７  を上側に引き抜けば良い。従って、破損した上横桟７  を取り外して新しいものと容易に交換できる。
他の上横桟８  、下横桟９，１０及び縦桟１３等についても、同様の手順で順次行えば良い。
以上、本発明の実施形態について説明したが、本発明は実施形態に限定されるものでない。
【００３４】
例えば実施形態では、伸縮門扉本体６  の組み立てに際して、第２枠体３６の上側のパンタグラフ機構１１の上横桟７  を縦桟１３から外した状態で組み立てる方法を採っているが、第２枠体３６の下側のパンタグラフ機構１２の下横桟１０を外した状態で組み立てる方法を採っても良い。
【００３５】
また各横桟７  〜１０を縦桟１３に固定する固定具は、各実施形態ではその一例としてリベット３２を例示しているが、このリベット３２以外のものを採用することも可能であり、例えばネジによって横桟７  〜１０を縦桟１３に固定しても良い。
各横桟７  〜１０と縦桟１３とを回動自在に定着する定着手段は、規制部材３１をリベット３３により縦桟１３に固定する構造が簡単であるが、横桟７  〜１０の開口端側から容易に縦桟１３に固定し得る構造であれば十分である。
【００３６】
また規制部材３１を利用する場合でも、その形状は実施形態の半割り状の他、上下両端が横桟７  〜１０の上下内面に当接するものであれば十分である。
各横桟７  〜１０及び縦桟１３にはアルミ材を用いる他、ステンレス材を用いても良いし、その他の材料を用いても良い。
各横桟７  〜１０は断面コ字状の材料を使用しても良い。
【００３７】
【発明の効果】
本発明によれば、上下に交差状に配置された上横桟7,8 と下横桟9,10とを有する上下一対のパンタグラフ機構11,12 を備え、この各パンタグラフ機構11,12 の門扉長手方向に隣り合う上横桟7,8 と下横桟9,10との端部同士を、上下の両パンタグラフ機構11,12 に跨がる縦桟13により順次連結して水平面内で伸縮可能に構成した伸縮門扉において、上側のパンタグラフ機構11の上横桟7 と下側のパンタグラフ機構12の下横桟10との一端部に固定された縦桟13を、上側のパンタグラフ機構11の下横桟9 と下側のパンタグラフ機構12の上横桟8 との他端部に形成された縦桟挿通用の通孔28,30 に回動自在に挿通して規制部材31により上下方向に移動不能に定着し、上側のパンタグラフ機構11の下横桟9 と下側のパンタグラフ機構12の上横桟8 との一端部に固定された縦桟13を、上側のパンタグラフ機構11の上横桟7 と下側のパンタグラフ機構12の下横桟10との他端部に形成された縦桟挿通用の通孔27,29 に回動自在に挿通して規制部材31により上下方向に移動不能に定着し、前記各規制部材31は各横桟7 〜10内で各縦桟13に定着手段33により固定し、その上下の端面を各横桟7 〜10の内面に当接しているので、規制部材31が外部に露出せず、従来に比較して門扉全体の外観上の見栄えを良好にできると共に、縦桟13と横桟7 〜10との結合状態を強固なものにでき、両者の結合状態を長期間に亘って確実に保持できる利点がある。
【図面の簡単な説明】
【図１】（Ａ）は本発明の一実施形態を示す伸縮門扉の平面図、（Ｂ）はその正面図である。
【図２】本発明の一実施形態を示す伸縮門扉の斜視図である。
【図３】図１（Ａ）のＸ−Ｘ矢視拡大図である。
【図４】本発明の一実施形態を示す分解斜視図である。
【図５】図３のＣ部分の拡大断面図である。
【図６】図５のＹ−Ｙ矢視図である。
【図７】図５のＺ−Ｚ矢視図である。
【図８】本発明の一実施形態を示す定着部分の破断斜視図である。
【図９】本発明の一実施形態を示す組み立て過程の分解斜視図である。
【図１０】本発明の一実施形態を示す組み立て状態の斜視図である。
【符号の説明】
７，８      上横桟
９，１０    下横桟
１１，１２      パンタグラフ機構
１３    縦桟
２７〜３０    通孔
３１    規制部材
【図１】
0003590956.tif 000002
【図２】
0003590956.tif 000003
【図３】
0003590956.tif 000004
【図４】
0003590956.tif 000005
【図５】
0003590956.tif 000006
【図６】
0003590956.tif 000007
【図７】
0003590956.tif 000008
【図８】
0003590956.tif 000009
【図９】
0003590956.tif 000010
【図１０】
0003590956.tif 000011